(57)【要約】【課題】課題１は、理美容におけるカット、整髪等についての基本技術を、現実に即した環境での習得が可能な練習具を提供すること、課題２は、ウイッグ、取付具及び上半身模型の三者を、簡便かつ安定的に固定する器具を提供すること、課題３は、構造が簡素で、かつ大量生産が可能で、不使用時には収納容易な理美容練習具を提供すること。【解決手段】上半身模型Ｂは、頸部を除く両肩部１、胸部２、背部３及び両脇腹部４を一体的に連設してなり、当該上半身模型Ｂ中央頂部から下方に向け、ウイッグ頸部Ｕ１を装着するための有底の装着孔５を延設してなり、装着孔５の底部５ｂ中央には、支持ヘッド１１を嵌合するための垂直状嵌合孔６を穿設している。【選択図】図３
2008036376.tif 000002
【特許請求の範囲】
【請求項１】
理美容師又は見習い等による技術習得、特にロングヘアーのカット、整髪等の練習に使用される理美容練習具であって、
頸部を除く、両肩部、胸部、背部及び両脇腹部を一体的に連設してなる、人体の上半身模型であり、当該上半身模型中央頂部から下方に向け、ウイッグ頸部を装着するための有底の装着孔を延設してなり、
前記装着孔の底部中央には、ウイッグ支持ヘッドを嵌合するための垂直状嵌合孔を穿設したことを特徴とする、理美容練習具。
【請求項２】
前記上半身模型は、略成人女性の平均的体型寸法としていることを特徴とする、請求項１に記載の理美容練習具。
【請求項３】
前記装着孔は、平面視、円形又は楕円形状としていることを特徴とする、請求項１〜請求項２の何れかにに記載の理美容練習具。
【請求項４】
前記装着孔の周壁部は、縦断面視、垂直状又はすり鉢状をなしていることを特徴とする、請求項１〜請求項３の何れかに記載の理美容練習具。
【請求項５】
前記装着孔の深さ寸法は、少なくとも背部と胸部の高さ寸法の中間位置より上部に設定していることを特徴とする、請求項１〜請求項４の何れかに記載の理美容練習具。
【請求項６】
前記装着孔の底部中央に穿設された垂直状嵌合孔の直径は、約２５ｍｍ〜３５ｍｍで、その深さ寸法は、少なくとも約５ｍｍ〜１０ｍｍであることを特徴とする、請求項１〜請求項５の何れかに記載の理美容練習具。
【請求項７】
前記上半身模型の底部は、全面的に開口されていることを特徴とする、請求項１〜請求項６の何れかに記載の理美容練習具。
【請求項８】
前記装着孔を含む上半身模型全体は、熱可塑性樹脂で一体成型され、前記装着孔の底部を除く厚さ寸法は、約３ｍｍ〜６ｍｍであることを特徴とする、請求項１〜請求項７の何れかに記載の理美容練習具。
【発明の詳細な説明】
【技術分野】
【０００１】  本発明は、理美容練習具に係り、より詳しくは、理美容師又は見習い等による技術習得、特にロングヘアーのカット、整髪等の練習に使用される理美容練習具に関する。
【背景技術】
【０００２】  従来より、理美容業界における基本技術であるヘアーカット、整髪等の技術習得には、人体の首及びヘアー付き頭部を模した人形、いわゆるウイッグを、支持ヘッド、バイス及び締付ハンドル等からなる取付具に装着して行われている。しかし、ウイッグ使用によるショートスタイルのヘアーカット等には問題ないが、ロングスタイル及びミディアムスタイルのヘアカット、グラデーション、ブラッシング等を実習するに際しては、ウイッグのみでは、人体の肩部、背部、胸部がない状態でのヘアーカット、整髪等の練習は、実情からかけ離れた状態であるため、理美容師又は見習い等には、そのイメージを把握するのが困難である。この不具合を解決するための一方法として、ロングヘアーの一般人をインターネット等を介して募集し、相応の対価を支払って練習用のモデルになってもらい、各種のトレーニングを行う理美容院等も存在している。【０００３】  理美容における現実に即した練習を可能にすることを目的として、例えば特開２００２−３４５５５２、特開平９−１６８４２３等が提案、開示されている。特開２００２−３４５５５２の「理美容練習エアボディ」は、塩化ビニール等からなる肩、背、女性の胸を有する上半身部の形状を持ち、空気出入口を設けてなることを特徴としている。また特開平９−１６８４２３の「理美容トレーニングボディ」は、ヘアーが植設された頭部の下方に肩や背を有する上半身部を配し、この上半身部及び前記頭部を支える取付金具を設けて、この取付金具にて椅子の背もたれやテーブルに取り付けるようにしている。
【特許文献１】特開２００２−３４５５２号公報
【特許文献２】特開平９−１６８４２３号公報
【発明の開示】
【発明が解決しようとする課題】
【０００４】  特許文献１の使用に際しては、なんらかの手段ないし方法でエアボディに、空気を送入しなければならないので、空気送入器具を用意しなければならないし、またその送入作業また排気作業が煩瑣であり、さらに理美容のカット作業等においては、実習者は常に、鋏、櫛及びレザー等の鋭利な器具を所持し、これを頻繁に動かすために、エアボディが破損する虞が十分にあり、作業環境上好ましくない。また特許文献２は、構成する部材の点数が多数であること、上半身部が回転不可能であることによる使用上の不便さ、また不使用時における収納性が悪い等の欠点が指摘されている。【０００５】  本発明が解決しようとする課題の１は、理美容におけるカット、整髪等についての基本技術を、現実に即した環境での習得が可能な練習具を提供することであり、課題の２は、ウイッグ、取付具及び上半身模型の三者を、簡便かつ安定的に固定する器具を提供することであり、課題の３は、構造が簡素で、かつ大量生産が可能で、不使用時には収納が容易な理美容練習具を提供することにある。
【課題を解決するための手段】
【０００６】  本発明者は、従来技術が有する各種の諸問題に鑑み、上記、１〜３の課題を解決するために鋭意検討し、本発明を完成したものである。課題を解決するための手段は、本願、特許請求の範囲の各請求項に記載の発明であり、その具体的手段は、以下の通りである。【０００７】  課題を解決するための第１の発明は、請求項１に記載の発明であり、理美容師又は見習い等による技術習得、特にロングヘアーのカット、整髪等の練習に使用される理美容練習具であって、頸部を除く、両肩部、胸部、背部及び両脇腹部を一体的に連設してなる、人体の上半身模型であり、当該上半身模型中央頂部から下方に向け、ウイッグ頸部を装着するための有底の装着孔を延設してなり、前記装着孔の底部中央には、ウイッグ支持ヘッドを嵌合するための垂直状嵌合孔を穿設したことを特徴としている。【０００８】  課題を解決するための第２の発明は、請求項２に記載の発明であり、前記上半身模型は、略成人女性の平均的体型寸法としていることを特徴としている。【０００９】  課題を解決するための第３の発明は、請求項３に記載の発明であり、前記装着孔は、平面視、円形又は楕円形状としていることを特徴としている。【００１０】  課題を解決するための第４の発明は、請求項４に記載の発明であり、前記装着孔の周壁部は、縦断面視、垂直状又はすり鉢状をなしていることを特徴としている。【００１１】  課題を解決するための第５の発明は、請求項５に記載の発明であり、前記装着孔の深さ寸法は、少なくとも背部と胸部の高さ寸法の中間位置より上部に設定していることを特徴としている。【００１２】  課題を解決するための第６の発明は、請求項６に記載の発明であり、前記装着孔の底部中央に穿設された垂直状嵌合孔の直径は、約２５ｍｍ〜３５ｍｍで、その深さ寸法は、少なくとも約５ｍｍ〜１０ｍｍであることを特徴としている。【００１３】  課題を解決するための第７の発明は、請求項７に記載の発明であり、上半身模型の底部は、全面的に開口されていることを特徴としている。【００１４】  課題を解決するための第８の発明は、請求項８に記載の発明であり、前記装着孔を含む上半身模型全体は、熱可塑性樹脂で一体成型され、前記装着孔の底部を除く厚さ寸法は、約３ｍｍ〜６ｍｍであることを特徴としている。
【発明の効果】
【００１５】  本発明に係る、理美容練習具は、上記の構成になるから以下の効果を奏する。即ち、第１〜第８の発明によれば、上半身模型は、頸部を除く、両肩部、胸部、背部及び両脇腹部を一体的に連設してなる人体の上半身模型であり、当該上半身模型中央頂部から下方に向け、ウイッグ頸部を装着するための有底の装着孔を延設してなり、前記装着孔の底部中央には、ウイッグ支持ヘッドを嵌合するための垂直状嵌合孔を穿設し、上半身模型は、略成人女性の平均的体型寸法とし、装着孔は、平面視、円形又は楕円形状とし、装着孔の周壁部は、縦断面視、垂直状又はすり鉢状をなし、装着孔の深さ寸法は、少なくとも背部と胸部の高さ寸法の中間位置より上部に設定し、装着孔の底部中央に穿設された垂直状嵌合孔の直径は、約２５ｍｍ〜３５ｍｍで、その深さ寸法は、少なくとも約５ｍｍ〜１０ｍｍとし、上半身模型の底部は、全面的に開口され、上半身模型全体は、熱可塑性樹脂で一体成型され、前記装着孔の底部を除く厚さ寸法は、約３ｍｍ〜６ｍｍとした構成であるから、本願の課題１である、現実に即した環境、即ち、あたかも真の顧客が理美容椅子に座しているような状態で、カット、整髪、その他の基本技術習得が可能な練習具を提供することができる。また、課題の２である、ウイッグ、取付具及び上半身模型の三者を、簡便かつ安定的に固定する器具の提供をも、併せて解決できる。特に、第５の発明によれば、装着孔の深さ寸法は、少なくとも背部と胸部の高さ寸法の中間位置より上部に設定しているから、ウイッグ支持ヘッドに上半身模型を装着したとき、その装着位置は両肩部に近接し、上半身模型全体の重心は、両脇腹部の下方となるので、実習者の手指や鋏、櫛等が上半身模型の一部に接触してもぐらつくことなく、実習者は各種の実務訓練を円滑に進めることができる。【００１６】  第１〜第７及び第８の発明は、課題の３を解決するための手段である。即ち、本発明に係る理美容練習具は、頸部を除く、両肩部、胸部、背部及び両脇腹部を一体的に連設してなる人体の上半身模型であり、該上半身模型内にウイッグ頸部を装着するための有底の装着孔とウイッグ支持ヘッドを嵌合するための垂直状嵌合孔が穿設され、上半身模型の底部は、全面的に開口され、また上半身模型全体は、熱可塑性樹脂で一体成型されるという、極めて簡素な構造であるから大量生産が可能となる。また不使用時には、垂直状嵌合孔を利用し、市販又はクリーニング店からサービス品として提供される、線条（針金）ハンガーのフック部を伸長し、これを垂直状嵌合孔に挿通した後、伸長部分を再度フック状に成形し、スーツ、コート等を掛吊できるハンガーとして利用できる効果をも併せ有する。
【発明を実施するための最良の形態】
【００１７】  以下、本発明の理美容練習具に係る、最良の実施形態について、図面を参照して詳細に説明する。図１は、本発明に係る理美容練習具の斜視図、図２は、同中央縦断面図、図３は、理美容練習具の使用状態を示す一部切欠正面図、図４は、図３におけるＡ部拡大断面図、図５は、装着孔の他の実施態様を示す一部切欠正面図、図６は、理美容練習具に線条（針金）ハンガーを挿通し、ハンガーとしての利用状態を示す正面図である。【００１８】  理美容練習具である、人体を模した上半身模型Ｂは、図１及び図２に示すように、頸部を除く両肩部１、胸部２、背部３及び両脇腹部４を一体的に連設してなり、該上半身模型Ｂは、略成人女性の平均的体型寸法とし、少なくとも両肩部１の寸法Ｗ１が、約３９０ｍｍ〜４１０ｍｍ、両肩部１〜胸部２の高さ寸法Ｈが、約２３０ｍｍ〜２５０ｍｍ、胸部２〜背部３の厚さ寸法Ｗ２が、約２３０ｍｍ〜２５０ｍｍとされている。両肩部１の中央頂部から下方に向けて装着孔５が延設されている。５ａは装着孔５の開口部、５ｂは底部、５ｃは周壁部である。装着孔５は、図示するように円形又は楕円形状とし、その最大直径φを、約１２５ｍｍ〜１４０ｍｍとしている。また装着孔５の周壁部５ｃは、縦断面視、垂直状又はすり鉢状（図５参照）をなし、その深さ寸法Ｈ１は、約３５ｍｍ〜４５ｍｍとし、メーカーにより頸部直径や高さ寸法がやや異なる、ほぼ全てのウイッグＵに対応できるように設定している。図２のＣ−Ｃ線は、両肩部１〜胸部２の高さ寸法Ｈの中間位置を示し、装着孔５はＣ−Ｃ線より上方に形成される。【００１９】  装着孔５の底部５ｂ中央には、ウイッグ取付具１０の支持ヘッド１１（図３参照）を嵌合するための垂直状嵌合孔６が穿設され、該嵌合孔６の直径は約２５ｍｍ〜３５ｍｍ、好ましくは約２８ｍｍであり、その深さ寸法Ｈ２即ち、底部５ｂの厚み寸法は、少なくとも約５ｍｍ〜１０ｍｍとし、好ましくは約７ｍｍである。【００２０】  上半身模型Ｂの制作素材は、熱可塑性樹脂、例えば、ＡＢＳ樹脂、ポリプロピレン、ポリエチレン、ポリスチレン、ポリエステルで、特にＡＢＳ樹脂又はポリプロピレンが好ましく、公知技術、例えばインジェクション成型法等で一体的に成型され、両肩部１、胸部２、背部３及び両脇腹部４等、各部位の肉厚寸法は、約３ｍｍ〜６ｍｍ、好ましくは約４ｍｍである。また図２に示すように、上半身模型Ｂの底部Ｂａは、全面的に開口され、かつ装着孔５以外の両肩部１、胸部２、背部３及び両脇腹部４の内部は空洞状となっているので、軽量であり、理美容技術の各種研修会等に携行するのに便利である。【００２１】  理美容練習具の使用態様を図３及び図４等を中心に説明する。まずウイッグ取付具１０のバイス１２を台板Ｄに取り付けて強く固定した後、カット、整髪等を練習する、理美容師又は見習い等の身長に適応する長さに、支持ヘッド１１の高さ位置を調節ロッド１３を介して調整する。つぎに、上半身模型Ｂの底部開口Ｂａからウイッグ取付具１０に降下させ、支持ヘッド１１の頂部１１ａに嵌合孔６を当接させて嵌合する。続いてウイッグＵの嵌合筒Ｕ２を、ウイッグ取付具１０の支持ヘッド１１に上方から押し下げるようにして固定する。このとき、ウイッグＵの嵌合筒Ｕ２の上面Ｕ３と支持ヘッド１１の頂部１１ａ間、及びウイッグＵの底面Ｕ４と装着孔５の底部５ｂ間には、間隙ｈ１及びｈ２が形成されるように設定されている（図４参照）。また、装着孔５の底部５ｂに穿設された嵌合孔６の下端部周縁６ａは直角状に形成され、支持ヘッド１１の下部周面壁１１ａがくい込むように固定され、支持ヘッド１１、上半身模型Ｂ及びウイッグＵの三者は、強固かつ安定して保持される。これにより、理美容師又は見習い等による、カット、整髪等の技術習得練習は、あたかも現実における顧客のロングヘアーＬＨに接しての実習環境を現出することができる。【００２２】  技術習得練習後は、上半身模型Ｂの両肩部１を一方の手で押さえながら、他方の手でウイッグＵの頸部Ｕ１等を把持し、上方に引き上げれば、ウイッグＵの嵌合筒Ｕ２は容易に支持ヘッド１１から離脱する。続いて上半身模型Ｂの両脇腹部４を両手で上方に引き上げて、支持ヘッド１１から離脱する。【００２３】  図５は、装着孔５の他の実施態様で、図示するように周壁部５Ｃをすり鉢状に形成し、これにより、ウイッグＵの支持ヘッド１１への着脱をより容易にすることが可能となる。【００２４】  図６は、理美容練習具をハンガーとして利用した状態を示し、上半身模型Ｂは、不使用時には、例えば、クリーニング店等からサービス品として提供される、線条（針金）ハンガー３０のフック部３１を伸長し、これを上半身模型Ｂの開口された底部Ｂａから挿入した後、装着孔５の嵌合孔６から上方に突出させ、伸長部分を再度、フック３１の形状に成形し、掛止部３２に掛吊すれば、上半身模型Ｂは、スーツ、コート等（不図示）の上衣等が掛吊できる、通常のハンガーとして利用することができる。
【図面の簡単な説明】
【００２５】
【図１】は、本発明に係る、理美容練習具の斜視図である。
【図２】は、同中央縦断面図である。
【図３】は、理美容練習具の使用状態を示す一部切欠正面図である。
【図４】は、図３におけるＡ部拡大断面図である。
【図５】は、装着孔の他の実施態様を示す一部切欠正面図である。
【図６】は、練習具Ｔに線条（針金）ハンガーを挿通し、ハンガーとしての利用状態を示す正面図である。
【符号の説明】
【００２６】Ｂ                                上半身模型
Ｂａ                              開口
Ｕ                                ウイッグ
Ｕ１                              頸部
Ｕ２                              嵌合筒
Ｕ３                              上面
Ｕ４                              底面
１０                              ウイッグ取付具
１１                              支持ロッド
１１ａ                            下部周面壁
１                                両肩部
２                                胸部
３                                背部
４                                両脇腹部
５                                装着孔
５ａ                              開口部
５ｂ                              底部
５ｃ                              周壁部
６                                垂直状嵌合孔
６ａ                              下端部周縁
Ｗ１                              両肩部寸法
Ｈ                                両肩部〜胸部の高さ寸法
Ｗ２                              胸部〜背部の厚さ寸法
φ                                最大直径
Ｈ１                              装着孔の深さ寸法
Ｈ２                              嵌合孔の深さ寸法
【図１】
2008036376.tif 000003
【図２】
2008036376.tif 000004
【図３】
2008036376.tif 000005
【図４】
2008036376.tif 000006
【図５】
2008036376.tif 000007
【図６】
2008036376.tif 000008